(57)【要約】【課題】停電など非常時の換気機能が長期にわたり確実に維持される畜舎の非常換気装置を提供する。【解決手段】通常時は非常換気口２２を閉じ、非常時に開いて外気による舎内の換気を行う開閉体２４を備えた畜舎の非常換気装置２１であって、水タンク２５を設け、開閉体２４を水タンク２５内の水に浮かせ、通常時はその浮力により非常換気口２２を閉じ、非常時は水タンク２５から水を抜いて非常換気口２２を開く構成とした。【選択図】図５
2009225725.tif 000002
【特許請求の範囲】
【請求項１】
通常時は非常換気口を閉じ、非常時に開いて外気による舎内の換気を行う開閉体を備えた畜舎の非常換気装置であって、
水或いは空気からなる流体を充填する流体室を設け、
前記開閉体は、通常時は前記流体室に充填した流体から付勢力を受けて前記非常換気口を閉じ、非常時は前記流体室から流体が抜かれることにより開く構成としたことを特徴とする畜舎の非常換気装置。
【請求項２】
前記流体および流体室はそれぞれ水および水タンクからなり、
前記開閉体は、前記水タンクの水に浮くように設けられ、前記付勢力としてのその浮力により前記非常換気口を閉じる構成としたことを特徴とする請求項１に記載の畜舎の非常換気装置。
【請求項３】
前記水タンクに連通する給水路側に設けられ、通常時は開いて給水を可能とし、停電時に閉じて給水を遮断する第１弁と、
前記水タンクに連通する排水路側に設けられ、通常時は閉じて排水を遮断し、停電時に開いて排水を行う第２弁と、
を備えることを特徴とする請求項２に記載の畜舎の非常換気装置。
【請求項４】
通常時の前記水タンクの水位を一定に保つボールタップを備えたことを特徴とする請求項２または請求項３に記載の畜舎の非常換気装置。
【請求項５】
前記開閉体は、浮きとしてポリタンクを有した構成からなることを特徴とする請求項２ないし請求項４のいずれか一項に記載の畜舎の非常換気装置。
【請求項６】
流体を充填することで膨らむ膨縮自在な袋状部材を備え、
前記流体室は前記袋状部材の内部空間からなり、
前記開閉体はこの袋状部材を備えて構成されることを特徴とする請求項１に記載の畜舎の非常換気装置。
【請求項７】
通常時は非常換気口を閉じ、非常時に開いて外気による舎内の換気を行う開閉体を備えた畜舎の非常換気装置であって、
水或いは空気からなる流体を充填する流体室を設け、
前記開閉体は、通常時は前記流体室から流体が抜かれていることにより前記非常換気口を閉じ、非常時は前記流体室に充填した流体から付勢力を受けて開く構成としたことを特徴とする畜舎の非常換気装置。
【発明の詳細な説明】
【技術分野】
【０００１】
本発明は、畜舎の非常換気装置に関するものである。
【背景技術】
【０００２】
臭気が外部に漏れないように近年の豚舎はウィンドウレスタイプである場合が多い。このタイプは換気部を除くとほぼ密閉構造となるため舎内の保温性に優れ、寒気に弱い子豚用の豚舎に適している。換気は常時強制的に行っており、換気扇などの給気ファンにより外気を舎内に取り込み、所定の排気部から別途設置した処理槽などに排気する構造が一般的である。
【０００３】
このウィンドウレスタイプの豚舎では、停電により換気扇が止まると、内部が密閉されているために豚が酸欠により死んでしまう。そのためウィンドウレスタイプの豚舎には、通常時に稼動させる給気ファンとは別に、停電など非常時の換気機能を担う非常換気装置が設けられている。
【０００４】
従来の非常換気装置で多く採用されている構造は、通常時には、非常換気用の開口部を、電磁ソレノイドと連動する開閉金具を用いて開閉体で塞いでおき、停電時には、電磁ソレノイドの通電がきれることを利用して開閉金具を動かして開閉体の係止を解き、開閉体をその自重により落下させて非常換気用の開口部を開放するというものであり、その具体例が特許文献１に記載されている。
【特許文献１】実開平６−４６４５２号公報
【発明の開示】
【発明が解決しようとする課題】
【０００５】
しかしながら、特許文献１の技術に代表されるように開閉金具を電磁ソレノイドと機械的に連結した構造では、豚の糞尿から発生する硫化水素ガスやアンモニアガスに長期にわたってさらされると、開閉金具自体や開閉金具の取り付け支持部、開閉金具と電磁ソレノイドとを連結する連結機構部などが腐食して可動部が固着し、停電時の動作機能に支障をきたすおそれがある。
【０００６】
本発明は、以上のような問題を解決するために創作されたものであり、停電など非常時の換気機能が長期にわたり確実に維持される畜舎の非常換気装置を提供することを目的とする。
【課題を解決するための手段】
【０００７】
本発明は、前記課題を解決するため、通常時は非常換気口を閉じ、非常時に開いて外気による舎内の換気を行う開閉体を備えた畜舎の非常換気装置であって、水或いは空気からなる流体を充填する流体室を設け、前記開閉体は、通常時は前記流体室に充填した流体から付勢力を受けて前記非常換気口を閉じ、非常時は前記流体室から流体が抜かれることにより開く構成としたことを特徴とする畜舎の非常換気装置とした。
【０００８】
この非常換気装置によれば、開閉体の開閉機構として空気または水からなる流体を用いたことにより、家畜の糞尿から発生する硫化水素ガスやアンモニアガスによる腐食の影響を何ら受けることなく、長期にわたり非常時における開閉体の開動作を確実に行うことができる。
【０００９】
また本発明は、前記流体および流体室はそれぞれ水および水タンクからなり、前記開閉体は、前記水タンクの水に浮くように設けられ、前記付勢力としてのその浮力により前記非常換気口を閉じる構成としたことを特徴とする畜舎の非常換気装置とした。
【００１０】
この非常換気装置によれば、簡易な構造で非常換気口の開閉動作を行うことができ、経済的な非常換気装置となる。
【００１１】
また本発明は、前記水タンクに連通する給水路側に設けられ、通常時は開いて給水を可能とし、停電時に閉じて給水を遮断する第１弁と、前記水タンクに連通する排水路側に設けられ、通常時は閉じて排水を遮断し、停電時に開いて排水を行う第２弁と、を備えることを特徴とする畜舎の非常換気装置とした。
【００１２】
この非常換気装置によれば、停電時における水タンクの排水動作を簡易な構造で実現できる。また、停電が終わったときには水が水タンクに給水されることになるので、開閉体が自動で非常換気口を閉じることになり、人手で閉じ直すなどの措置が不要となる。
【００１３】
また本発明は、通常時の前記水タンクの水位を一定に保つボールタップを備えたことを特徴とする畜舎の非常換気装置とした。
【００１４】
この非常換気装置によれば、簡易な構造で通常時の水タンクの水位を一定に保つことができ、余計な給水を回避できる。
【００１５】
また本発明は、前記開閉体は、浮きとしてポリタンクを有した構成からなることを特徴とする畜舎の非常換気装置とした。
【００１６】
この非常換気装置によれば、市販の灯油用ポリタンクなど安価な部材を用いることで経済的な非常換気装置となる。
【００１７】
また本発明は、流体を充填することで膨らむ膨縮自在な袋状部材を備え、前記流体室は前記袋状部材の内部空間からなり、前記開閉体はこの袋状部材を備えて構成されることを特徴とする畜舎の非常換気装置とした。
【００１８】
この非常換気装置によれば、簡易な構造で非常換気口の開閉動作を行うことができ、経済的な非常換気装置となる。
【００１９】
また本発明は、通常時は非常換気口を閉じ、非常時に開いて外気による舎内の換気を行う開閉体を備えた畜舎の非常換気装置であって、水或いは空気からなる流体を充填する流体室を設け、前記開閉体は、通常時は前記流体室から流体が抜かれていることにより前記非常換気口を閉じ、非常時は前記流体室に充填した流体から付勢力を受けて開く構成としたことを特徴とする畜舎の非常換気装置とした。
【００２０】
この非常換気装置によれば、開閉体の開閉機構として空気または水からなる流体を用いたことにより、家畜の糞尿から発生する硫化水素ガスやアンモニアガスによる腐食の影響を何ら受けることなく、長期にわたり非常時における開閉体の開動作を確実に行うことができる。
【発明の効果】
【００２１】
本発明によれば、停電など非常時の換気動作が確実に行われるので、家畜の酸欠を防止できる。
【発明を実施するための最良の形態】
【００２２】
図１は本発明を適用した畜舎の一例を示す外観斜視図であり、図２、図３はそれぞれ同畜舎の正断面図、側断面図である。これらの図において、畜舎１は、筒の延設方向（筒軸方向）が横方向となるように設置された、閉断面で一定形状断面の筒状筐体２を主な外郭部材として構成されており、両端は円板形状の側壁３によって閉塞されている。畜舎１内には子豚などが収容される。筒状筐体２は例えば断面円形を呈した円筒部材として構成される。断面円形の筒状筐体２を地面に載置するに当たっては、下部周りを地中に埋めてもよいし、筒状筐体２の下部外面側に、筒状筐体２の姿勢を維持する取り付け台座４をあてがってもよい。
【００２３】
筒状筐体２の寸法は、収容する家畜数にもよるが、例えば子豚１００頭程度を収容する場合、外径約２．５メートル、長さ約１０メートル程度とする。筒状筐体２は樹脂製であり、その板厚としては、例えば数ミリメートル〜数センチメートル程度である。また、筒状筐体２の内壁面は特に、糞尿がこびり付きにくいように鏡面状に形成されている。
【００２４】
樹脂製の筒状筐体２の具体例としては、ＦＲＰ（繊維強化プラスチック）パイプが好適である。ＦＲＰパイプとしては、金型に半硬化状態のＦＲＰシートを巻きつけてパイプ状に成形する、いわゆるシートワインディング製法で製造されたものを使用することができる。側壁３もＦＲＰ等の樹脂材から構成される。また、筒状筐体をＦＲＰパイプから構成する場合、前記したシートワインディング製法によるものの他に、ガラスロービングに樹脂を含浸させながら型に巻きつけて成形する、いわゆるフィラメントワインディング製法で製造したものを用いることができる。この場合、いわゆる型の外側に巻きつける外巻き式で製造されたものでもよいし、型の内側に巻きつける内巻き式で製造されたものでもよい。筒状筐体２をＦＲＰパイプとすることで安価で高強度の筐体となる。
【００２５】
筒状筐体２の内部の下方には家畜載置用の床材５が水平状に設置され、例えば、筒状筐体２の内壁面下端から５０センチメートル程度上方に設置される。床材５は、概ね筒状筐体２の内部全長にわたって設置されており、筒状筐体２の内部空間を上方の家畜収容空間６と下方の糞尿溜め空間７とに区画する。床材５には、家畜の糞尿を糞尿溜め空間７に落下させるために落下孔が全面にわたって形成されている。床材５の具体例としてはスノコや打抜き金網等であり、そのスリットや網目が前記落下孔に相当する。床材５の縁部は図示しない固定手段により筒状筐体２の内壁面や側壁３の内壁面に固定される。家畜収容空間６には清掃時や給餌時に人が入るので、床材５から筒状筐体２の断面中央上端までの室内高さは１．７メートル以上であることが好ましく、１．８メートル程度であることがより好ましい。これにより、腰をかがめることなく清掃等を行えるので、畜舎１内における諸作業の利便性が向上する。
【００２６】
各側壁３の中央部には人の出入り口としてのドア８が設けられ、各ドア８の上方には外気を取り込む給気ファン９が取り付けられている。この給気ファン９は常時回転して舎内に外気を取り込んで換気を行う。符号１０は防雨カバーである。家畜収容空間６の上部には、両給気ファン９に接続した給気ダクト１１が設けられており、この給気ダクト１１に形成された複数の給気口１１ａ（図２、図３）から外気が舎内に送風される。給気口１１ａは筒状筐体２の上部の内壁面に臨むように穿たれており、これにより、風は寒気に弱い子豚に直接送風されることなく、一旦筒状筐体２の上部に送風されたうえで曲面からなる内壁面に沿って下方に送られる。
【００２７】
図２、図３に示すように、床材５の下方、つまり糞尿溜め空間７には、筒状筐体２の延設方向に沿って配管され、複数の吸気口１２ａを形成した吸気管１２が設けられる。吸気口１２ａは、落下してくる糞尿が内部に入らないようにその開口部が下向きとなっている。図４は、糞尿浄化処理系と筒状筐体内の空気の処理系とを示すブロック図である。図４において、一方の側壁３には集尿ピット１６が取り付けられており、この集尿ピット１６は配管１７を介して糞尿貯留槽１４に連通している。前記吸気管１２は他方の側壁３から外部の配管１３を介して糞尿貯留槽１４に連通している。配管１３の途中にはたとえばブロワ１５が取り付けられている。糞尿貯留槽１４には図示しない糞尿浄化処理槽が接続されており、糞尿貯留槽１４から排出された糞尿は糞尿浄化処理槽に送られる。
【００２８】
以上により、ブロワ１５を駆動して吸気管１２に負圧を発生させることで、筒状筐体２内の下方の空気を吸気口１２ａから吸気し、例えば図示しないガス分解装置で所定のガス分解処理を行ったうえで、或いは直接、糞尿貯留槽１４に排気する。具体的には、排気した空気を糞尿貯留槽１４内の糞尿に曝気させる。なお、この曝気処理により、糞尿がある程度浄化されることになり、その分、次工程の糞尿浄化処理槽の浄化処理能力に余裕を持たせることができる。なお、舎内の排気は図１に示すように側壁３の外側に設けた排気パイプ１８で行うようにしてもよい。
【００２９】
以下、非常換気装置２１について説明する。図１に示すように、非常換気装置２１は側壁３に設置される。本実施形態では各側壁３のそれぞれに設置しているが、一方の側壁３のみに設置してもよい。
【００３０】
図５（ａ）、（ｂ）はそれぞれ非常換気装置２１の正断面図、側断面図である。非常換気装置２１は、通常時は非常換気口２２を閉じており、停電などにより前記給気ファン９（図１）が停止したときに非常換気口２２を開いて舎内の酸欠を防止する。
【００３１】
非常換気装置２１は、水或いは空気からなる流体を充填する流体室２３を有しており、開閉体２４が、通常時は流体室２３に充填した流体から付勢力を受けて非常換気口２２を閉じ、停電などの非常時に流体室２３から流体が抜かれることにより開く構成である。図５は、流体および流体室２３をそれぞれ水および水タンク２５とした場合を示し、開閉体２４は、水タンク２５の水に浮くように設けられ、前記付勢力としてのその浮力により非常換気口２２を閉じるように構成されている。
【００３２】
具体的に説明すると、側壁３には開口部２６が穿設され、舎内側にはこの開口部２６を覆うようにカバー２７が取り付けられている。このカバー２７の下面には、開口部２６からの外気を舎内に入れるための矩形状を呈した非常換気口２２が形成されている。前記水タンク２５は非常換気口２２の下方に位置して、例えば側壁３に取り付けられる。水タンク２５は例えば樹脂製のタンクが好ましい。
【００３３】
水タンク２５内で浮かせる開閉体２４としては、浮きとして機能するポリタンク２８を備える構成とする。さらにポリタンク２８としては、経済性の点から市販の灯油用ポリタンクが好適であり、内部に若干の水を入れて姿勢を安定させたうえで浮かせるようにする。ポリタンク２８自身で直接、非常換気口２２を開閉させることも可能であるが、図５ではポリタンク２８に平板状の開閉板２９を接着剤などにより固着し、この開閉板２９で非常換気口２２を開閉している。開閉板２９は、樹脂製の板材であることが好ましい。符号３０は水位変動に伴うポリタンク２８の上下移動をガイドするリブを示し、水タンク２５の内部に適宜に形成されている。
【００３４】
水タンク２５に連通する給水路３１側には、通常時は開いて給水を可能とし、停電時に閉じて給水を遮断する第１弁（第１電磁弁３２）が設けられ、水タンク２５に連通する排水路３３側には、通常時は閉じて排水を遮断し、停電時に開いて排水を行う第２弁（第２電磁弁３４、３５）が設けられている。第２弁として、第２電磁弁３４、３５の２つの弁を設けた理由は、万が一、一方が損傷して停電時に弁が開かない場合を想定しての措置であり、場合によっては１つだけ設ける構成としてもよい。
【００３５】
水タンク２５内には、通常時の水タンク２５の水位を一定に保つように、給水路３１に接続するボールタップ３６が設けられる。このボールタップ３６としては、トイレのロータンクなどで用いられる公知構造のものを利用でき、フロート３７が一定の水位で浮いているときは給水を遮断し、水位が低下してフロート３７が下がると給水口３６ａから給水し、水位が元に戻ってフロート３７が上昇すると再び給水を遮断する機能を有する。
【００３６】
なお、給水路３１には、メンテナンス用として第１電磁弁３２と並列に手動開閉弁３８が設けられる。また、排水路３３にも、メンテナンス用、特にドレン排水用として第２電磁弁３４、３５と並列に手動開閉弁３９が設けられる。また、水タンク２５内には、水のオーバーフローを防止するオーバーフロー管４０が設けられる。
【００３７】
以上により、通常時は、第１電磁弁３２が通電により開状態、第２電磁弁３４、３５が通電により閉状態となっており、ボールタップ３６の機能により水タンク２５の水位が仮想線で示す位置に保たれている。このとき、仮想線で示すように、浮きとしてのポリタンク２８は上昇位置にあり、その浮力によりポリタンク２８に固着した開閉板２９が非常換気口２２周りを下から押し付けるようにして非常換気口２２を塞いでいる。
【００３８】
そして、停電になると、通電が切れることにより第１電磁弁３２が閉状態、第２電磁弁３４、３５が開状態となり、水タンク２５の水が排水路３３から排水される。これにより実線で示すように、浮きとしてのポリタンク２８および開閉板２９がリブ３０にガイドされて下降し、非常換気口２２が開放されて外気による換気が行われる。
【００３９】
やがて停電が終わり、通電により第１電磁弁３２が開状態、第２電磁弁３４、３５が閉状態に戻ると、ボールタップ３６の給水口３６ａから給水される。水位が仮想線で示す位置に達してフロート３７が所定位置まで上昇すると、給水口３６ａからの給水が止まり、再び開閉板２９が非常換気口２２を塞ぐ。
【００４０】
以上のように、水からなる流体を充填する流体室２３を設け、開閉体２４を、通常時は流体室２３に充填した流体から付勢力を受けて非常換気口２２を閉じ、停電などの非常時に流体室２３から流体が抜かれることにより開く構成とすれば、開閉体２４の開閉機構として水を用いたことにより、家畜の糞尿から発生する硫化水素ガスやアンモニアガスによる腐食の影響を何ら受けることなく、長期にわたり非常時における開閉体２４の開動作を確実に行うことができる。また、流体を駆動媒体として用いることで、流体の配管路は自由に設定できることから、流体を制御する機器（電磁弁や制御盤など）の取り付け位置が制約を受けず、前記ガスの影響を受けない箇所に設置することができる。
【００４１】
また、流体室２３を水タンク２５から構成し、開閉体２４は、水タンク２５の水に浮くように設けられ、前記付勢力としてのその浮力により非常換気口２２を閉じる構成とすれば、簡易な構造で非常換気口２２の開閉動作を行うことができる。
【００４２】
また、水タンク２５に連通する給水路３１側に設けられ、通常時は開いて給水を可能とし、停電時に閉じて給水を遮断する第１弁（第１電磁弁３２）と、水タンク２５に連通する排水路３３側に設けられ、通常時は閉じて排水を遮断し、停電時に開いて排水を行う第２弁（第２電磁弁３４、３５）と、を備える構成とすれば、停電時における水タンク２５の排水動作を簡易な構造で実現できる。また、停電が終わったときには水が水タンク２５に給水されることになるので、開閉体２４が自動で非常換気口２２を閉じることになり、人手で閉じ直すなどの措置が不要となる。
【００４３】
なお、給水路３１、排水路３３を構成する各配管を例えば畜舎１の外に引き回し、第１電磁弁３２、第２電磁弁３４、３５の取り付け位置を畜舎１から遠ざけることで、これら第１電磁弁３２、第２電磁弁３４、３５の腐食を防止できる。これら電磁弁を制御する制御盤も畜舎１から遠ざけて設置すれば、硫化水素ガスやアンモニアガスなどによる腐食の影響を受けることなく遠隔操作できる。
【００４４】
さらに、通常時の水タンク２５の水位を一定に保つボールタップ３６を設けることで、通常時に余計な給水を回避できる。ボールタップ３６を設けない場合は、例えばオーバーフロー管４０に常に水を流し、そこから家畜の飲み水に利用したり、他の水系施設に利用するなどの措置をとることができる。
【００４５】
なお、説明した形態では非常換気装置２１を舎内側に設けているが、非常換気装置２１は側壁３の外側、つまり舎外側に設けることも可能である。ただし、この場合、寒冷地では水タンク２５内の水が凍ることも予想されるので、水タンク２５に保温設備を設けるなどの対策が適宜必要となる。
【００４６】
次いで、図６は、ボールタップ３６を設けた給水タンク４１を水タンク２５から独立して設けた例を示している。図５と同じ構成部材については同じ符号を付して、その説明は省略する。水タンク２５と給水タンク４１とは通常時の水位から低い位置で給水路３１で互いに連通している。
【００４７】
この例でも、通常時は、第１電磁弁３２が通電により開状態、第２電磁弁３４、３５が通電により閉状態となっており、ボールタップ３６の機能により給水タンク４１の水位が一定に保たれ、この給水タンク４１と給水路３１で連通している水タンク２５の水位も同水位に保たれる。このとき、実線で示すように、浮きとしてのポリタンク２８は上昇位置にあり、その浮力によりポリタンク２８に固着した開閉板２９が非常換気口２２周りを下から押し付けるようにして非常換気口２２を塞いでいる。
【００４８】
そして、停電になると、通電が切れることにより第１電磁弁３２が閉状態、第２電磁弁３４、３５が開状態となり、水タンク２５の水が排水路３３から排水される。これにより仮想線で示すように、浮きとしてのポリタンク２８および開閉板２９がリブ３０にガイドされて下降し、非常換気口２２が開放されて外気による換気が行われる。
【００４９】
やがて停電が終わり、通電により第１電磁弁３２が開状態、第２電磁弁３４、３５が閉状態に戻ると、ボールタップ３６の給水口３６ａから給水される。水位が上昇してフロート３７が所定位置まで上昇すると、給水口３６ａからの給水が止まり、再び開閉板２９が非常換気口２２を塞ぐ。
【００５０】
さらに図７は、給水タンク４１を設けた場合で、かつ、各水タンク２５同士を通常時の水位よりも低い位置で互いに連通させる連通路４２を設けるとともに、各排水路３３を合流させたうえで第２電磁弁３４、３５を設けた構成を示している。各水タンク２５は例えば１つの畜舎１に複数設けられる場合もあるし、複数の畜舎１にそれぞれ設けられる場合もある。
【００５１】
この図７の構成によれば、各単体のボールタップ３６、第１弁（第１電磁弁３２）、第２弁（第２電磁弁３４、３５）で複数の非常換気装置２１を連動して機能させることができる。
【００５２】
図８に他の変形例を示す。なお、図５と同じ構成部材については同じ符号を付して、その説明は省略する。この例は、空気或いは水からなる流体を充填することで膨らむ膨縮自在な袋状部材５１を備えており、流体室２３はこの袋状部材５１の内部空間からなる。開閉体２４は、この袋状部材５１と、袋状部材５１の上面に接着剤などにより固着した開閉板５２とからなる。袋状部材５１は、非常換気口２２の下方において側壁３に取り付けられたケーシング５３内に収められている。袋状部材５１には給気管５４が取り付けられており、給気管５４には電磁弁５５が介設されている。給気管５４はコンプレッサ等の空気供給源に連通している。電磁弁５５は、通常時には通電されて開状態となって空気を常に袋状部材５１に送り、停電時には通電が切れて閉状態となる。なお、袋状部材５１には給気管５４から送られる給気量より少量の空気を逃がすための逃げ孔が設けられている。
【００５３】
以上により、図８（ａ）に示すように、通常時は、空気が袋状部材５１内に常に充填されて袋状部材５１が膨らんだ状態となり（膨らんだ状態を維持する程度に余分な少量の空気は前記逃げ孔から抜けている）、その付勢力を受けて開閉板５２が非常換気口２２周りを下から押し付けるようにして非常換気口２２を塞いでいる。なお、開閉板５２を設けることなく、袋状部材５１自身で非常換気口２２を塞ぐようにすることも可能である。
【００５４】
停電になると電磁弁５５が閉じて送気が止まり、図８（ｂ）に示すように、開閉板５２の重量を受けて内部の空気が前記逃げ孔から抜けることで袋状部材５１がしぼみ、非常換気口２２が開放されて外気による換気が行われる。やがて停電が終わり、通電により電磁弁５５が開くと袋状部材５１が膨らんで、再び開閉板５２が非常換気口２２を塞ぐ。なお、空気の代わりに水を充填して袋状部材５１を膨らませて非常換気口２２を塞ぎ、水を抜いて袋状部材５１をしぼませて非常換気口２２を開く構成にすることも可能である。
【００５５】
このように、空気或いは水からなる流体を充填することで膨らむ膨縮自在な袋状部材５１を備え、流体室２３を袋状部材５１の内部空間とし、開閉体２４はこの袋状部材５１を備える構成とすれば、簡易な構造で非常換気口２２の開閉動作を行うことができる。また本例でも、流体を駆動媒体として用いることで、流体の配管路は自由に設定できることから、流体を制御する機器（電磁弁や制御盤など）の取り付け位置が制約を受けず、硫化水素ガスやアンモニアガスなどの影響を受けない箇所に設置することができる。
【００５６】
次いで、図９に示した他の変形例について説明する。なお、図５と同じ構成部材については同じ符号を付して、その説明は省略する。図５〜図８に示した例は全て、開閉体２４が、通常時は流体室２３に充填した流体から付勢力を受けて非常換気口２２を閉じ、非常時は流体室２３から流体が抜かれることにより開く構成であったのに対し、図９の変形例は、開閉体２４が、通常時は流体室２３から流体が抜かれていることにより非常換気口２２を閉じ、非常時は流体室２３に充填した流体から付勢力を受けて開く構成としたものである。
【００５７】
本例では、空気或いは水からなる流体を充填することで膨らむ膨縮自在な袋状部材６１を備えており、この袋状部材６１の内部空間が流体室２３を構成する。袋状部材６１は例えば図１０に示すようにリング形状を呈しており、膨らんだ際の上面には適宜に外気を通すための凹部６１ａが形成される形状となっている。また、袋状部材６１の上面には図９に示すように開閉板６２が接着剤などにより固着される。これら袋状部材６１と開閉板６２とが開閉体２４を構成するものであり、袋状部材６１は非常換気口２２周りを囲むようにしてカバー２７の底部に載置される。
【００５８】
袋状部材６１には給気管６３が取り付けられており、給気管６３には電磁弁６４が介設されている。給気管６３は十分な圧縮空気量を持つ圧縮空気源に連通している。電磁弁６４は、通常時には通電されて閉状態となって袋状部材６１への圧縮空気の送気を遮断し、停電時には通電が切れて開状態となる。なお、袋状部材６１には給気管６３から送られる給気量より少量の空気を逃がすための逃げ孔が設けられている。
【００５９】
以上により、通常時は電磁弁６４が閉じて袋状部材６１への圧縮空気の送気が遮断され、図９（ａ）に示すように、開閉板６２の重量を受けて袋状部材６１がしぼみ、開閉板６２が自重により非常換気口２２を上から塞いでいる。
【００６０】
停電になると電磁弁６４が開いて送気がなされ、図８（ｂ）に示すように、袋状部材６１内に空気が充填されて袋状部材６１が膨らみ（膨らんだ状態を維持する程度に余分な少量の空気は前記逃げ孔から抜けている）、その付勢力を受けて開閉板６２が押し上げられて非常換気口２２が開く。外気は前記凹部６１ａを通って非常換気口２２に流れて舎内の換気が行われる。停電時間を見込んで、前記圧縮空気源の圧縮空気量は適宜に設定されている。
【００６１】
やがて停電が終わり、通電により電磁弁６４が閉じると開閉板６２の重量を受けて内部の空気が前記逃げ孔から抜けることで袋状部材６１がしぼみ、開閉板６２が非常換気口２２を塞ぐ。なお、空気の代わりに水を充填して袋状部材６１を膨らませて非常換気口２２を開き、水を抜いて袋状部材６１をしぼませて非常換気口２２を塞ぐ構成にすることも可能である。
【００６２】
このように、開閉体２４が、通常時は流体室２３から流体が抜かれていることにより非常換気口２２を閉じ、非常時は流体室２３に充填した流体から付勢力を受けて開く構成としても、開閉体２４の開閉機構として空気や水などの流体を用いたことにより、家畜の糞尿から発生する硫化水素ガスやアンモニアガスによる腐食の影響を何ら受けることなく、長期にわたり開閉体２４の開動作を確実に行うことができる。本例でも、流体を駆動媒体として用いることで、流体の配管路は自由に設定できることから、流体を制御する機器（電磁弁や制御盤など）の取り付け位置が制約を受けず、硫化水素ガスやアンモニアガスなどの影響を受けない箇所に設置することができる。
【００６３】
以上、本発明の好適な実施形態について説明した。なお、非常換気装置２１を取り付ける畜舎１として、筒の延設方向を横方向として設置され、複数の家畜を収容する筒状筐体２と、この筒状筐体２の内部に水平状に設置され、家畜の糞尿用の落下孔を形成した家畜載置用の床材５と、を備える構成とすれば、次のような効果が奏される。
（１）家畜の収容施設を筒状筐体２から構成することで、家畜の収容施設費用を安価にできる。また、筒状筐体２を地面に載置するだけで済むので、固定資産税がかからずに済み、建築確認の作業等も不要となる。筒状筐体２の設置場所の移動も容易となる。
（２）床材５に糞尿の落下孔が形成されているので、床材５に糞尿が溜まることがない。したがって、床材５上の家畜に対して衛生的となり、床材５の清掃も容易となる。
（３）筒状筐体２が樹脂材よりなるので、金属材料とした場合に比して耐腐食性に優れる。
（４）部材点数が少なく、畜舎１の組み立て時間が短時間で済む。また、簡易な構造であるので、同様のものを複数連結することも容易であり、拡張性に優れる。
（５）気密性が高い構造となり、年間を通じ空調環境が良好となる。また、野鳥やネズミの侵入を防止できる。
（６）筐体が筒状を呈しているので、筐体強度が高くなり、耐積雪性に優れる。
また、床材５の下方の空間が、筒状筐体２の内壁面を底面とする糞尿溜め空間７として構成される畜舎１とすれば、
（７）糞尿溜め空間７の底面が樹脂面として形成されるので、糞尿がコンクリート打ち面にこびり付いて清掃しにくいという問題も解消され、高圧水の噴射等によって、溜まった糞尿を筒の延設方向に沿って効率的に押し流すことができる。これにより、糞尿溜め空間７の清掃が容易になる。
という効果も奏される。
【００６４】
また、取り付け対象の畜舎としては図示したものに限られず、従来の鉄筋構造、木造構造、プレハブ構造等の畜舎（豚舎）に適用することももちろん可能である。
【図面の簡単な説明】
【００６５】
【図１】本発明を適用した畜舎の一例を示す外観斜視図である。
【図２】畜舎の正断面図である。
【図３】畜舎の側断面図である。
【図４】糞尿浄化処理系と筒状筐体内の空気の処理系とを示すブロック図である。
【図５】（ａ）、（ｂ）はそれぞれ本発明に係る非常換気装置の正断面図、側断面図である。
【図６】ボールタップ用の給水タンクを開閉体用の水タンクから独立して設けた例を示す説明図である。
【図７】非常換気装置を複数設けた場合の接続例を示す図である。
【図８】本発明の変形例を示す図である。
【図９】本発明の他の変形例を示す図である。
【図１０】袋状部材の外観斜視図である。
【符号の説明】
【００６６】
１      畜舎
２１      非常換気装置
２２      非常換気口
２３      流体室
２４      開閉体
２５      水タンク
２８      ポリタンク
２９      開閉板
３１      給水路
３２      第１電磁弁（第１弁）
３３      排水路
３４、３５  第２電磁弁（第２弁）
３６      ボールタップ
【図１】
2009225725.tif 000003
【図２】
2009225725.tif 000004
【図３】
2009225725.tif 000005
【図４】
2009225725.tif 000006
【図５】
2009225725.tif 000007
【図６】
2009225725.tif 000008
【図７】
2009225725.tif 000009
【図８】
2009225725.tif 000010
【図９】
2009225725.tif 000011
【図１０】
2009225725.tif 000012